(57)【要約】【課題】繰り返し録画（毎週・毎日など）を設定した連続ドラマが、放送時間がずれた場合など、ＥＰＧ情報をもとに予約録画の開始時刻および終了時刻を自動補正するが、ＮＨＫ番組などのようにＣＭがなく、予約時間どおりに番組が開始し終了するような番組で番組終端が切れたりする。【解決手段】番組の先頭、番組の終端を数分間余分に録画し、番組放送開始時間と番組放送終了時間にマーカを設定することにより、再生時に設定したマーカの番組放送開始時間から開始し、番組終端も切れることなく再生することが出来る。【選択図】図１
2009246702.tif 000002
【特許請求の範囲】
【請求項１】
放送番組のタイトル名及び放送開始終了時刻情報を含む電子番組情報を基に、番組を録画、再生する装置において、
予約記録する番組の開始時間を該放送開始時刻より所定時間前に、終了時間を該放送終了時刻より所定時間後に補正する番組予約補正手段と、
前記番組予約補正手段で補正された時間で録画する録画手段と、
前記録画手段で録画された番組の放送開始時刻と放送終了時刻にマーカを設定するマーカ設定手段と、
録画した番組の先頭または前記マーカ情報取得手段が取得した番組放送開始時間または番組放送終了時間から再生を開始する再生手段と
を備えることを特徴とする番組録画再生装置。
【請求項２】
削除開始点と削除終了点を指定して前記録画手段で録画された番組の一部分を削除する編集手段をさらに備えることを特徴とする、請求項１に記載の番組録画再生装置。
【請求項３】
放送番組のタイトル名及び放送開始終了時刻情報を含む電子番組情報を基に、番組を録画、再生する方法において、
予約記録する番組の開始時間を該放送開始時刻より所定時間前に、終了時間を該放送終了時刻より所定時間後に補正する番組予約補正ステップと、
前記番組予約補正ステップで補正された時間で録画する録画ステップと、
前記録画ステップで録画された番組の放送開始時刻と放送終了時刻にマーカを設定するマーカ設定ステップと、
録画した番組の先頭または前記マーカ情報取得ステップが取得した番組放送開始時間または番組放送終了時間から再生を開始する再生ステップとを有することを特徴とする番組録画再生方法。
【請求項４】
削除開始点と削除終了点を指定して前記録画手段で録画された番組の一部分を削除する編集ステップをさらに有することを特徴とする、請求項３に記載の番組録画再生方法。
【発明の詳細な説明】
【技術分野】
【０００１】
本発明は、番組録画再生装置、及び番組録画再生方法に関するものである。
【背景技術】
【０００２】
繰り返し録画（毎週・毎日など）を設定した連続ドラマが、放送時間がずれた場合など、予約録画設定時以降に放送時間帯が変更された場合に録画が失敗することがあった。それを防ぐために、最新のＥＰＧ情報の番組名をもとに予約録画の開始時刻および終了時刻を自動補正する手法（番組追従機能）が開示されている（例えば、特許文献１参照。）。
【特許文献１】特許第３８５６２８８号公報
【発明の開示】
【発明が解決しようとする課題】
【０００３】
地上デジタル放送は、映像信号と一緒にＴＯＴと呼ばれる時刻情報が送られてきている。予約録画を行うこのＴＯＴを元に地上デジタルでは予約録画の開始時刻と終了時刻を決めている。しかし、ＴＯＴ情報に書かれている時刻情報は、番組が放送される時間より数秒間早くなっている場合がある。そのため、ＮＨＫ番組などのようにＣＭがなく、予約時間どおりに番組が開始し終了するような番組を番組追従機能により録画した場合、番組終端が切れる場合があった。
【課題を解決するための手段】
【０００４】
前記目的を達成するために請求項１の発明は、放送番組のタイトル名及び放送開始終了時刻情報を含む電子番組情報を基に、番組を録画、再生する装置において、予約記録する番組の開始時間を該放送開始時刻より所定時間前に、終了時間を該放送終了時刻より所定時間後に補正する番組予約補正手段と、番組予約補正手段で補正された時間で録画する録画手段と、録画手段で録画された番組の放送開始時刻と放送終了時刻にマーカを設定するマーカ設定手段と、録画した番組の先頭またはマーカ情報取得手段が取得した番組放送開始時間または番組放送終了時間から再生を開始する再生手段とを備えることを特徴とする番組録画再生装置に係わる。
【０００５】
また請求項２の発明は、請求項１記載の番組録画再生装置において削除開始点と削除終了点を指定して録画手段で録画された番組の一部分を削除する編集手段をさらに備えることを特徴とする番組録画再生装置に係わる。
【発明の効果】
【０００６】
予約記録する番組の開始時間を該放送開始時刻より所定時間前に、終了時間を該放送終了時刻より所定時間後に補正して録画することにより、ＮＨＫ番組など番組追従機能で録画した場合に番組の終端が切れるような番組に対して、番組の終端まで視聴することができる。
【発明を実施するための最良の形態】
【０００７】
（実施の形態）
以下、本発明の実施するための形態について、図１を用いて説明する。図１は、本発明における番組予約装置の構成を示すブロック図である。図１において、受信手段１１０は、外部からの放送などを受信し、番組情報取得手段１０１は受信された情報から番組情報を取得し、番組情報表示手段１０７は番組表などでユーザーに番組情報を表示し、ユーザーは予約情報操作手段１０２を用いて予約情報管理手段１０３にシリーズ番組予約を設定する。
【０００８】
番組予約自動追従手段１０４は１０１で取得した番組情報と１０３で管理している番組予約情報から、番組の放送時間が変更されている事を検出し、１０３で管理している番組予約情報に対して放送時間変更情報を登録することにより、放送時間変更に番組予約を追従させる。
【０００９】
予約開始時間補正手段１０５は、ユーザーが設定した予約開始時間補正情報に基づき、１０３で管理している番組予約情報の開始時間を変更することにより、番組予約開始時間を変更させる。
【００１０】
予約終了時間補正手段１０６は、ユーザーが設定した予約終了時間補正情報に基づき、１０３で管理している番組予約情報の終了時間を変更することにより、番組予約終了時間を変更させる。
【００１１】
予約管理手段１０３は、マーカ設定手段１２０に番組放送開始時間、番組放送終了時間を通知し、設定された番組予約情報に基づき、１１０及び記録手段１２１を制御し、番組放送開始時間、番組放送終了時間にマーカを設定し番組予約録画を記録媒体１２２に記録する。
【００１２】
マーカ情報取得手段１２３は、記録媒体１２２から番組放送開始時間、番組放送終了時間を取得し、再生手段１２４は録画した番組の先頭または１２３が取得した番組放送開始時間または番組放送終了時間から再生を開始する。
【００１３】
図２及び図３、図４を用いて動作を説明する。図２はあるテレビ局の番組編成表の例である。図３は本実施例における予約録画時のフローチャートである。ユーザーによって、番組予約設定３０１、予約開始補正時間、予約終了補正時間の設定３０２を実施され、番組予約が設定される。放送などから番組情報取得３０３によって取得された番組情報の中に番組予約されている番組名が存在しているかを判定３０４し、存在していた場合に番組の放送時間が変更されているかを判定３０５し、変更されていた場合は放送時間変更に番組予約を追従３０６させ、番組予約開始時間を前記３０２で設定した予約開始補正時間だけ変更３０７させ、番組予約終了時間を前記３０２で設定した予約終了補正時間だけ変更３０８させる。予約の時刻になると、設定された番組予約情報に基づき番組を記録実行し、番組放送開始時間、番組放送終了時間にマーカを記録実行され番組予約３０９が完了する。
【００１４】
図４は本実施例における図３で予約録画された番組の再生時のフローチャートである。ユーザーによって、図３で予約録画された番組の再生開始指示４０１をされ、記録されている番組放送開始時間のマーカ情報を取得４０２し、４０２で取得したマーカ情報を基に番組放送時間から再生を開始する。ユーザーは、番組放送終了時間まで再生し、その後録画終了時刻まで再生４０４が可能である。このようにすることで、番組追従機能で録画した場合に番組の終端が切れるような番組に対して、番組の終端まで再生することができる。
【００１５】
図５は本実施例における図３で予約録画された番組の編集時のフローチャートである。番組の不要部分削除する場合、ユーザーにより番組を再生し、不要部分の開始点と終了点を指定するような構成において、ユーザーが番組の前後にある不要部分を削除する場合、ユーザーにより図３で予約録画された番組の編集開始指示５０１をされ、記録されている番組放送開始時間、番組放送終了時間のマーカ情報を取得５０２し、録画開始時刻から再生を開始５０３する。再生直後、ユーザーが録画開始時刻地点を削除開始時点に設定５０４し、ユーザー操作により番組放送開始時間のマーカから再生することを指示５０５された場合、番組放送開始時刻から再生を開始５０６し、開始直後、ユーザーが番組放送開始時刻地点を削除終了点に設定５０８することにより、番組放送開始時刻の前部分を削除５０８する。ユーザー操作により番組放送開始時間のマーカから再生することを指示５０９された場合、番組放送終了時刻から再生を開始５１０し、開始直後、ユーザーが番組放送終了時刻地点を削除開始点に設定５１２し、その後、ユーザーが録画終了時刻まで再生５１３し、ユーザーが録画終了時刻地点を削除終了時点に設定５１４することにより、番組放送終了時刻の後ろ部分を削除５１５する。このようにすることで、番組の前後にある不要部分を容易に削除することができる。
【産業上の利用可能性】
【００１６】
本発明は、番組を予約録画するビデオレコーダー等の番組録画再生装置に有用である。
【図面の簡単な説明】
【００１７】
【図１】番組予約装置ブロック図
【図２】テレビ局の番組編成表の例を示した図
【図３】本実施例における予約録画時のフローチャート
【図４】本実施例における図３で予約録画された番組の再生時のフローチャート
【図５】本実施例における図３で予約録画された番組の編集時のフローチャート
【符号の説明】
【００１８】
１０１    番組情報取得手段
１０２    予約情報操作手段
１０３    予約情報管理手段
１０４    番組予約自動追従手段
１０５    予約開始時間補正手段
１０６    予約終了時間補正手段
１０７    番組情報表示手段
１０８    予約情報表示手段
１１０    受信手段
１２０    マーカ設定手段
１２１    記録手段
１２２    記録媒体
１２３    マーカ情報取得手段
１２４    再生手段
１２５    出力手段
【図１】
2009246702.tif 000003
【図２】
2009246702.tif 000004
【図３】
2009246702.tif 000005
【図４】
2009246702.tif 000006
【図５】
2009246702.tif 000007